(57)【特許請求の範囲】
【請求項１】
近位に延びる環状本体を有するシェルアセンブリであって、該環状本体は、互いに対向する２つのフック用開口部と、該フック用開口部の間に位置する突起用開口部と、外科手術用器具の一部分を受容するための中心通路とを規定する、シェルアセンブリと、
ロッキングバンドであって、該ロッキングバンドは、２つの端部を有する弓形本体と、保持フックと、突起とを有し、該保持フックは、該本体の各端部に隣接して位置し、かつ、該本体の内側表面から延び、該突起は、該保持フックの間に位置し、かつ、該本体の該内側表面から延び、各保持フックは、該フック用開口部のそれぞれ１つの内部に配置されて、該ロッキングバンドの該端部のそれぞれ１つを該環状本体に保持し、該突起は、該装填ユニットを該外科手術用器具に固定するように、該突起用開口部を通って該中心通路内へと配置可能である、ロッキングバンドと
を備える、装填ユニット。
【請求項２】
前記保持フックの各々は、脱係合した構成を有し、該保持フックの両方が該脱係合した構成にあるとき、前記突起は、前記突起用開口部を通って前記中心通路内に延びている、請求項１に記載の装填ユニット。
【請求項３】
前記本体の各端部は、前記保持フックのそれぞれ１つを、係合した構成の方に移動させるように、移動可能であり、その結果、該保持フックの一部分は、それぞれの前記フック用開口部と前記突起用開口部との間で、前記環状本体と係合し、該保持フックの係合した位置の方への移動は、前記突起を、該環状本体の前記中心通路の外側に持ち上げて、前記外科手術用器具の前記一部分を前記ロッキングバンドから解放する、請求項２に記載の装填ユニット。
【請求項４】
前記環状本体は、前記フック用開口部の間に凹部を規定し、該凹部は、前記ロッキングバンドの前記本体を受容するように構成されている、請求項１に記載の装填ユニット。
【請求項５】
前記ロッキングバンドは、前記本体から遠位に延びるタブを備え、前記シェルアセンブリは、前記凹部と連絡するタブ受部を規定し、該タブ受部は、該ロッキングバンドの該タブを受容して、該ロッキングバンドを該シェルアセンブリと回転方向に整列させるように構成されている、請求項４に記載の装填ユニット。
【請求項６】
前記タブは、前記突起と軸方向に整列している、請求項５に記載の装填ユニット。
【請求項７】
前記環状本体は、各フック用開口部に隣接する平坦部を備え、該平坦部は、互いに対して平行である面を規定する、請求項１に記載の装填ユニット。
【請求項８】
前記ロッキングバンドの各端部は、前記環状本体の前記平坦部のそれぞれ１つとスライド可能に係合する直線状の内側表面を有し、各保持フックは、該直線状の内側表面のそれぞれ１つから内向きに延びている、請求項７に記載の装填ユニット。
【請求項９】
前記ロッキングバンドの各端部は、移動止めを備え、前記移動止めは、前記それぞれの直線状の内側表面から内向きに延び、かつ、前記保持フックおよび前記突起から離れた位置にあり、前記環状本体の前記平坦部の各々は、該移動止めのそれぞれ１つを受容するように構成された移動止め用ウェルを規定する、請求項８に記載の装填ユニット。
【請求項１０】
前記ロッキングバンドのロックされた構成において、該ロッキングバンドの各移動止めは、前記移動止め用ウェルのそれぞれ１つに受容されており、かつ、前記突起は、前記突起用開口部を通って前記中心通路内に位置しており、該ロッキングバンドのロック解除された構成において、該ロッキングバンドの各移動止めは、該移動止め用ウェルのそれぞれ１つに受容されており、かつ、該突起は、該中心通路の外側に位置している、請求項９に記載の装填ユニット。
【請求項１１】
前記ロッキングバンドの解放された構成において、前記移動止めのうちの少なくとも１つは、前記フック用開口部のそれぞれ１つの内部に配置されており、かつ、前記突起は、前記中心通路の外側に位置している、請求項１０に記載の装填ユニット。
【請求項１２】
近位に延びる環状本体を有するシェルアセンブリであって、該環状本体は、該環状本体の外側表面に規定された、互いから間隔を空けた２つの移動止め用ウェルと、該環状本体を通って延びる突起用開口部と、外科手術用器具の遠位端部分を受容するための中心通路とを規定する、シェルアセンブリと、
２つの端部を有する弓形本体を有するロッキングバンドであって、各端部は、該本体の内側表面から延びる移動止めを有し、該本体は、該端部の間に位置する内向きに延びる突起を備え、該ロッキングバンドは、ロックされた構成と、ロック解除された構成と、解放された構成とを有し、該ロックされた構成において、各移動止めは、それぞれの移動止め用ウェルに受容されており、かつ、該突起は、該突起用開口部を通って該中心通路内に延びており、該ロック解除された構成において、各移動止めは、それぞれの移動止め用ウェルに受容されており、かつ、該突起は、該中心通路の外側に位置しており、該解放された構成において、少なくとも１つの移動止めは、該環状本体の周囲で、それぞれの移動止め用ウェルと該突起用開口部との間に位置しており、かつ、該突起は、該中心通路の外側に位置している、ロッキングバンドと
を備える、装填ユニット。
【請求項１３】
前記環状本体は、該環状本体の対向する側に、互いに対して平行である２つの平坦部を規定し、前記移動止め用ウェルのそれぞれ１つが、該平坦部の各々に規定されている、請求項１２に記載の装填ユニット。
【請求項１４】
前記シェルアセンブリは、フック用開口部を、前記移動止め用ウェルの各々と前記突起用開口部の各々との間に規定する、請求項１２に記載の装填ユニット。
【請求項１５】
前記ロッキングバンドは、内向きに延びる保持フックを備え、該保持フックは、前記移動止めの各々と前記突起との間に位置し、該保持フックは、前記解放された構成で前記環状本体と係合して、該ロッキングバンドの前記端部のそれぞれ１つを前記環状本体に固定するように構成されている、請求項１４に記載の装填ユニット。
【請求項１６】
前記解放された構成において、前記少なくとも１つの移動止めは、前記フック用開口部のそれぞれ１つの内部に位置している、請求項１４に記載の装填ユニット。
【請求項１７】
前記環状本体は、該環状本体の対向する側に、互いに対して平行である２つの平坦部を規定し、前記移動止め用ウェルのそれぞれ１つおよび前記フック用開口部のそれぞれ１つが、該平坦部の各々に規定されている、請求項１６に記載の装填ユニット。
【請求項１８】
遠位端部分を有する外科手術用器具であって、該遠位端部分は、突起用窓を規定する、外科手術用器具と、
近位に延びる環状本体を有するシェルアセンブリを備える装填ユニットであって、該環状本体は、互いに対向する２つのフック用開口部と、該フック用開口部の間に位置する突起用開口部と、該外科手術用器具の該遠位端部分を受容する中心通路とを規定する、装填ユニットと、
ロッキングバンドであって、該ロッキングバンドは、２つの端部を有する弓形本体と、保持フックと、突起とを有し、該保持フックは、該本体の各端部に隣接して位置し、かつ、該本体の内側表面から延び、該突起は、該保持フックの間に位置し、かつ、該本体の内側表面から延び、各保持フックは、該フック用開口部のそれぞれ１つの内部に配置されて、該ロッキングバンドの端部のそれぞれ１つを該環状本体に保持し、該本体のロックされた構成において、該突起は、該環状本体の該突起用開口部および該外科手術用器具の該突起用窓を通して配置されて、該装填ユニットを該外科手術用器具の該遠位端部分に固定する、ロッキングバンドと
を備える、外科手術用システム。
【請求項１９】
前記環状本体は、内側表面から延び、かつ、前記シェルアセンブリの長手方向軸に対して平行であるキーを備え、前記外科手術用器具の前記遠位端部分は、該遠位端部分の長手方向軸に対して平行であるキー溝を規定し、該キー溝は、該キーをスライド可能に受容して、該シェルアセンブリを該外科手術用器具の該遠位端部分に対して回転整列させ、そして固定する、請求項１８に記載の外科手術用システム。
【請求項２０】
前記遠位端部分は、互いに対向するフック用窓を規定し、該フック用窓の各々は、前記ロッキングバンドの前記保持フックのうちの１つを受容する、請求項１８に記載の外科手術用システム。
【発明の詳細な説明】
【技術分野】
【０００１】
背景
１．技術分野
本開示は一般に、外科手術用ステープル留め器具に関する。より特定すると、本開示は、交換可能な装填ユニットを有する円形ステープル留め器具に関する。
【背景技術】
【０００２】
２．関連技術の背景
外科手術手順中に組織の部分を接合するように構成された外科手術用ステープル留め器具は、周知である。これらの器具は、その器具の長手方向軸に対して平行または横断方向に配向した直線状エンドエフェクタを備える。これらの器具はまた、円形エンドエフェクタを備える。代表的に、直線状ステープル留め器具は、使い捨て装填ユニットまたは交換可能カートリッジを備え、これは、このステープル留め器具が複数回使用されることを可能にする。これとは対照的に、従来の円形ステープル留め器具は代表的に、その器具に固定的に取り付けられたカートリッジまたはシェルアセンブリを備え、その結果、この器具は、１回の使用の後に処分されなければならない。
当該分野において、カートリッジまたはシェルアセンブリを円形ステープル留め器具に、取り外し可能であるがしっかりと固定して、このステープル留め器具の再使用を容易にするための、単純な、安価な器具が必要とされている。
【発明の概要】
【課題を解決するための手段】
【０００３】
本発明は、例えば、以下を提供する：
（項目１）
近位に延びる環状本体を有するシェルアセンブリであって、該環状本体は、互いに対向する２つのフック用開口部、該フック用開口部の間に位置する突起用開口部、および外科手術用器具の一部分を受容するための中心通路を規定する、シェルアセンブリ；ならびに
ロッキングバンドであって、該ロッキングバンドは、２つの端部を有する弓形本体、該本体の各端部に隣接して位置し、そして該本体の内側表面から延びる保持フック、および該保持フックの間に位置し、そして該本体の内側表面から延びる突起を有し、各保持フックは、該フック用開口部のそれぞれ１つの内部に配置されて、該ロッキングバンドの該端部のそれぞれ１つを該環状本体に保持し、該突起は、該装填ユニットを該外科手術用器具に固定するように、該突起用開口部を通って該中心通路内へと配置可能である、ロッキングバンド
を備える、装填ユニット。
（項目２）
上記保持フックの各々は、脱係合した構成を有し、該保持フックの両方が該脱係合した構成にあるとき、上記突起は、上記突起用開口部を通って上記中心通路内に延びている、上記項目に記載の装填ユニット。
（項目３）
上記本体の各端部は、上記保持フックのそれぞれ１つを、係合した構成の方に移動させるように、移動可能であり、その結果、該保持フックの一部分は、それぞれの上記フック用開口部と上記突起用窓との間で、上記環状本体と係合し、そして該保持フックの係合した位置の方への移動は、上記突起を、該環状本体の上記中心通路の外側に持ち上げて、上記外科手術用器具の上記一部分を上記ロッキングバンドから解放する、上記項目のいずれかに記載の装填ユニット。
（項目４）
上記環状本体は、上記フック用開口部の間に凹部を規定し、該凹部は、上記ロッキングバンドの上記本体を受容するように構成される、上記項目のいずれかに記載の装填ユニット。
（項目５）
上記ロッキングバンドは、上記本体から遠位に延びるタブを備え、そして上記シェルアセンブリは、上記凹部と連絡するタブ受部を規定し、該タブ受部は、該ロッキングバンドの該タブを受容して、該ロッキングバンドを該シェルアセンブリと回転方向に整列させるように構成されている、上記項目のいずれかに記載の装填ユニット。
（項目６）
上記タブは、上記突起と軸方向に整列している、上記項目のいずれかに記載の装填ユニット。
（項目７）
上記環状本体は、各フック用開口部に隣接する平坦部を備え、該平坦部は、互いに対して平行である面を規定する、上記項目のいずれかに記載の装填ユニット。
（項目８）
上記ロッキングバンドの各端部は、上記環状本体の上記平坦部のそれぞれ１つとスライド可能に係合する直線状の内側表面を有し、各保持フックは、該直線状の内側表面のそれぞれ１つから内向きに延びている、上記項目のいずれかに記載の装填ユニット。
（項目９）
上記ロッキングバンドの各端部は、上記それぞれの直線状の内側表面から内向きに延び、上記保持フックおよび上記突起から離れた位置にある、移動止めを備え、そして上記環状本体の上記平坦部の各々は、該移動止めのそれぞれ１つを受容するように構成された移動止め用ウェルを規定する、上記項目のいずれかに記載の装填ユニット。
（項目１０）
上記ロッキングバンドのロックされた構成において、該ロッキングバンドの各移動止めは、上記移動止め用ウェルのそれぞれ１つに受容されており、そして上記突起は、上記突起用開口部を通って上記中心通路内に位置しており、そして該ロッキングバンドのロック解除された構成において、該ロッキングバンドの各移動止めは、該移動止め用ウェルのそれぞれ１つに受容されており、そして該突起は、該中心通路の外側に位置している、上記項目のいずれかに記載の装填ユニット。
（項目１１）
上記ロッキングバンドの解放された構成において、上記移動止めのうちの少なくとも１つは、上記フック用開口部のそれぞれ１つの内部に配置されており、そして上記突起は、上記中心通路の外側に位置している、上記項目のいずれかに記載の装填ユニット。
（項目１２）
近位に延びる環状本体を有するシェルアセンブリであって、該環状本体は、該環状本体の外側表面に規定された、互いから間隔を空けた２つの移動止め用ウェル、該環状本体を通って延びる突起用開口部、および外科手術用器具の遠位端部分を受容するための中心通路を規定する、シェルアセンブリ；ならびに
２つの端部を有する弓形本体を有するロッキングバンドであって、各端部は、該本体の内側表面から延びる移動止めを有し、該本体は、該端部の間に位置する内向きに延びる突起を備え、該ロッキングバンドは、ロックされた構成、ロック解除された構成、および解放された構成を有し、該ロックされた構成において、各移動止めは、それぞれの移動止め用ウェルに受容されており、そして該突起は、該突起用開口部を通って該中心通路内に延びており、該ロック解除された構成において、各移動止めは、それぞれの移動止め用ウェルに受容されており、そして該突起は、該中心通路の外側に位置しており、そして該解放された構成において、少なくとも１つの移動止めは、該環状本体の周囲で、それぞれの移動止め用ウェルと該突起用開口部との間に位置しており、そして該突起は、該中心通路の外側に位置している、ロッキングバンド
を備える、装填ユニット。
（項目１３）
上記環状本体は、該環状本体の対向する側に、互いに対して平行である２つの平坦部を規定し、上記移動止め用ウェルのそれぞれ１つが、該平坦部の各々に規定されている、上記項目のいずれかに記載の装填ユニット。
（項目１４）
上記シェルアセンブリは、フック用開口部を、上記移動止め用ウェルの各々と上記突起用開口部の各々との間に規定する、上記項目のいずれかに記載の装填ユニット。
（項目１５）
上記ロッキングバンドは、上記移動止めの各々と上記突起との間に位置する、内向きに延びる保持フックを備え、該保持フックは、上記解放された構成で上記環状本体と係合して、該ロッキングバンドの上記端部のそれぞれ１つを上記環状本体に固定するように構成されている、上記項目のいずれかに記載の装填ユニット。
（項目１６）
上記解放された構成において、上記少なくとも１つの移動止めは、上記フック用開口部のそれぞれ１つの内部に位置している、上記項目のいずれかに記載の装填ユニット。
（項目１７）
上記環状本体は、該環状本体の対向する側に、互いに対して平行である２つの平坦部を規定し、上記移動止め用ウェルのそれぞれ１つおよび上記フック用開口部のそれぞれ１つが、該平坦部の各々に規定されている、上記項目のいずれかに記載の装填ユニット。
（項目１８）
遠位端部分を有する外科手術用器具であって、該遠位端部分は、突起用窓を規定する、外科手術用器具；
近位に延びる環状本体を有するシェルアセンブリを備える装填ユニットであって、該環状本体は、互いに対向する２つのフック用開口部、該フック用開口部の間に位置する突起用開口部、および該外科手術用器具の該遠位端部分を受容する中心通路を規定する、装填ユニット；ならびに
ロッキングバンドであって、該ロッキングバンドは、２つの端部を有する弓形本体、該本体の各端部に隣接して位置し、そして該本体の内側表面から延びる、保持フック、および該保持フックの間に位置し、そして該本体の内側表面から延びる、突起を有し、各保持フックは、該フック用開口部のそれぞれ１つの内部に配置されて、該ロッキングバンドの端部のそれぞれ１つを該環状本体に保持し、該本体のロックされた構成において、該突起は、該環状本体の該突起用開口部および該外科手術用器具の該突起用窓を通して配置されて、該装填ユニットを該外科手術用器具の該遠位端部分に固定する、ロッキングバンド
を備える、外科手術用システム。
（項目１９）
上記環状本体は、内側表面から延び、そして上記シェルアセンブリの長手方向軸に対して平行であるキーを備え、そして上記外科手術用器具の上記遠位端部分は、該遠位端部分の長手方向軸に対して平行であるキー溝を規定し、該キー溝は、該キーをスライド可能に受容して、該シェルアセンブリを該外科手術用器具の該遠位端部分に対して回転整列させ、そして固定する、上記項目に記載の外科手術用システム。
（項目２０）
上記遠位端部分は、互いに対向するフック用窓を規定し、該フック用窓の各々は、上記ロッキングバンドの上記保持フックのうちの１つを受容する、上記項目のいずれかに記載の外科手術用システム。
摘要
装填ユニットは、シェルアセンブリおよびロッキングバンドを備える。このシェルアセンブリは、近位に延びる環状本体を有する。この環状本体は、互いに対向する２つのフック用開口部、これらのフック用開口部の間に位置する突起用開口部、および外科手術用器具の一部分を受容するための中心通路を規定する。このロッキングバンドは、２つの端部を有する弓形本体、およびこの本体の各端部に隣接して位置し、そしてこの本体の内側表面から延びる保持フックを有する。これらの保持フックの各々は、フック用開口部のそれぞれ１つの内部にそれぞれ配置されて、このロッキングバンドの端部のそれぞれ１つをこの環状本体に保持する。この突起は、この装填ユニットを外科手術用器具に固定するように、この突起用開口部を通してこの中心通路内に配置可能である。
【０００４】
要旨
本開示の１つの局面において、装填ユニットは、シェルアセンブリおよびロッキングバンドを備える。このシェルアセンブリは、近位に延びる環状本体を有する。この環状本体は、互いに対向する２つのフック用開口部、これらのフック用開口部の間に位置する突起用開口部、および外科手術用器具の一部分を受容するための中心通路を規定する。このロッキングバンドは、２つの端部を有する弓形本体を有し、保持フックが、この本体の各端部に隣接して位置し、そしてこの本体の内側表面から延びる。これらの保持フックの各々は、フック用開口部のそれぞれ１つの内部に位置して、このロッキングバンドの端部のそれぞれ１つをこの環状本体に保持する。この突起は、この装填ユニットを外科手術用器具に固定するように、この突起用開口部を通ってこの中心通路内に配置可能である。
【０００５】
ある局面において、これらの保持フックの各々は、脱係合した構成を有する。これらの保持フックの両方がこの脱係合した構成にあるとき、突起は、突起用開口部を通って中心通路内に延び得る。本体の各端部は、保持フックのそれぞれ１つを、係合した構成の方に移動させるように、移動可能であり得、その結果、この保持フックの一部分は、環状本体に、その対応するフック用開口部と突起用窓との間で係合する。これらの保持フックの、係合した位置への移動は、この突起をこの環状本体の中心通路の外側に持ち上げて、この外科手術用器具の一部分をこのロッキングバンドから解放し得る。
【０００６】
いくつかの局面において、突起用開口部は、フック用開口部の間の中間に位置する。突起は、保持フックの間の中間に位置し得る。環状本体は、これらのフック用開口部の間に凹部を規定し得る。この凹部は、ロッキングバンドの本体を受容するように構成され得る。このロッキングバンドは、この本体から遠位に延びるタブを備え得る。シェルアセンブリは、この凹部と連絡するタブ受部を規定し得る。このタブ受部は、このロッキングバンドのタブを受容して、このロッキングバンドをこのシェルアセンブリと回転方向に整列させるように構成され得る。このタブは、この突起と軸方向に整列し得る。
【０００７】
特定の局面において、環状本体は、各フック用開口部に隣接する平坦部を備える。これらの平坦部は、互いに対して平行である面を規定し得る。ロッキングバンドの各端部は、この環状本体の平坦部のそれぞれ１つとスライド可能に係合する、直線状の内側表面を有し得る。保持フックの各々は、直線状の内側表面のそれぞれ１つから内向きに延び得る。このロッキングバンドの各端部はまた、それぞれの直線状の内側表面から内向きに延びる移動止めを備え得、この移動止めは、保持フックおよび突起から離れた位置に位置する。この環状本体の平坦部の各々は、移動止め用ウェルを規定し得る。これらの移動止め用ウェルの各々は、移動止めのそれぞれ１つを受容するように構成され得る。このロッキングバンドのロックされた構成において、このロッキングバンドの各移動止めは、移動止め用ウェルのそれぞれ１つに受容され得、そしてこの突起は、突起用開口部を通って中心通路内に位置し得る。このロッキングバンドのロック解除された構成において、このロッキングバンドの各移動止めは、移動止め用ウェルのそれぞれ１つに受容され得、そしてこの突起は、この中心通路の外側に位置し得る。このロッキングバンドの解放された構成において、これらの移動止めのうちの少なくとも１つは、フック用開口部のそれぞれ１つの内部に配置され得、そしてこの突起は、この中心通路の外側に位置し得る。
【０００８】
本開示の別の局面において、装填ユニットは、シェルアセンブリおよびロッキングバンドを備える。このシェルアセンブリは、近位に延びる環状本体を有する。この環状本体は、この環状本体の外側表面に規定された、互いから間隔を空けた２つの移動止め用ウェル、この環状本体を通って延びる突起用開口部、および外科手術用器具の遠位端部分を受容する中心通路を規定する。このロッキングバンドは、２つの端部を有する弓形本体を有する。この弓形本体の各端部は、この本体の内側表面から延びる移動止めを有する。この本体は、内向きに延びる突起を備え、この突起は、これらの端部の間に位置する。この本体のロックされた構成において、各移動止めは、それぞれの移動止め用ウェル内に受容されており、そしてこの突起は、この突起用開口部を通ってこの中心通路内に延びている。この本体のロック解除された構成において、各移動止めは、それぞれの移動止め用ウェルに受容されており、そしてこの突起は、この中心通路の外側に位置している。この本体の解放された構成において、少なくとも１つの移動止めは、この環状本体の周囲で、それぞれの移動止め用ウェルと突起用開口部との間に位置しており、そしてこの突起は、この中心通路の外側に位置している。
【０００９】
ある局面において、この環状本体は、互いに対して平行である２つの平坦部を、この環状本体の対向する側に規定する。移動止め用ウェルのそれぞれ１つが、これらの平坦部の各々に規定され得る。シェルアセンブリは、フック用開口部を、これらの移動止め用ウェルの各々と突起用開口部との間に規定し得る。ロッキングバンドは、内向きに延びる保持フックを備え得、この保持フックは、移動止めの各々と突起との間に位置する。これらの保持フックは、この環状本体を解放された構成に係合して、このロッキングバンドの端部のそれぞれ１つをこの環状本体に固定するように構成され得る。この解放された構成において、これらの移動止めのうちの少なくとも１つは、フック用開口部のそれぞれ１つの内部に位置している。この環状本体は、互いに対して平行である２つの平坦部を、この環状本体の対向する側に規定し得る。これらの移動止め用ウェルのそれぞれ１つと、これらのフック用開口部のそれぞれ１つとは、これらの平坦部の各々に規定され得る。
【００１０】
本開示の別の局面において、外科手術用システムは、外科手術用器具、装填ユニット、およびロッキングバンドを備える。この外科手術用器具は、突起用開口部を規定する遠位端部分を有する。この装填ユニットは、近位に延びる環状本体を有するシェルアセンブリを備える。この環状本体は、互いに対向する２つのフック用開口部、これらのフック用開口部の間に位置する突起用開口部、およびこの外科手術用器具の遠位端部分を受容する中心通路を規定する。このロッキングバンドは、２つの端部を有する弓形本体、この本体の各端部に隣接して位置して、この本体の内側表面から延びる保持フック、およびこれらの保持フックの間に位置して、この本体の内側表面から延びる突起を有する。これらの保持フックの各々は、フック用開口部のそれぞれ１つの内部に配置されて、ロッキングバンドのそれぞれ１つの端部をこの環状本体に保持する。この本体のロックされた構成において、この突起は、この環状本体の突起用開口部およびこの外科手術用器具の突起用窓を通って配置されて、この装填ユニットをこの外科手術用器具の遠位端部分に固定する。
【００１１】
ある局面において、この環状本体は、内側表面から延びるキーを備え、このキーは、シェルアセンブリの長手方向軸に対して平行である。この外科手術用器具の遠位端部分は、この遠位端部分の長手方向軸に対して平行である、キー溝を規定し得る。このキー溝は、このキーをスライド可能に受容して、このシェルアセンブリを、この外科手術用器具の遠位端部分に対して回転整列させ、そして固定し得る。この遠位端部分は、互いに対向するフック用窓を規定し得る。これらのフック用窓の各々は、このロッキングバンドの保持フックのうちの１つを受容し得る。
【００１２】
本開示の別の局面において、外科手術用器具を提供する方法は、装填ユニットを外科手術用器具と整列させる工程、およびこの装填ユニットの環状本体をこの外科手術用器具の遠位端部分でスライドさせる工程を包含する。この装填ユニットをこの外科手術用器具と整列させる工程は、この装填ユニットの長手方向軸をこの外科手術用器具の遠位端部分の長手方向軸と整列させることを包含する。この装填ユニットとこの外科手術用器具とが整列するとき、この装填ユニットのシェルアセンブリの環状本体に規定された突起用開口部が、この外科手術用器具の遠位端部分を通して規定された突起用窓と回転方向に整列する。この装填ユニットの環状本体がこの外科手術用器具の遠位端部分上をスライドするとき、この遠位端部分は、この環状本体の周囲に位置するロッキングバンドの突起と係合して、この装填ユニットがこの遠位端部分上をスライドするとき、これらの突起用窓がこの突起用開口部と整列するまで、この突起を外向きに動かす。これらの突起用窓とこの突起用開口部が長手軸方向に整列しているとき、このロッキングバンドの本体の弾力が、この突起用窓を通してこの突起をスナップ留めして、この装填ユニットをこの外科手術用器具の遠位端部分に固定する。このロッキングバンドは、弓形本体を有し、この弓形本体は、各端部に隣接して位置する移動止めを備える。各移動止めは内向きに延び、そしてこの環状本体に規定されたそれぞれの移動止め用ウェルに選択的に受容されて、この環状本体がこの外科手術用器具の遠位端部分上をスライドするとき、この本体の端部をこの環状本体に固定する。
【００１３】
ある局面において、この方法は、この装填ユニットをこの外科手術用器具の遠位端部分から取り外す工程を包含し得る。このロッキングバンドの本体の端部のうちの一方を、この突起に向かう方向に動かすことにより、この端部がこの環状本体に対してスライドし得、その結果、この移動止めは、それぞれの移動止め用ウェルから脱係合する。この本体は、この本体の端部を動かすことに応答して曲がり得、この突起を突起用窓から外すように動かし、その結果、この外科手術用器具の遠位端部分から外す。この突起が、この外科手術用器具の遠位端部分の突起用窓から外れているとき、この方法は、この装填ユニットを、この外科手術用器具の遠位端部分から取り外す工程を包含し得る。
【００１４】
さらに、矛盾しない程度まで、本明細書中に記載される局面の任意のものが、本明細書中に記載される他の局面のうちのいずれかまたは全てと組み合わせて使用され得る。
【００１５】
本開示の種々の局面が、図面を参照しながら本明細書中で以下に記載される。図面は、本明細書に組み込まれ、そして本明細書の一部を構成する。
【図面の簡単な説明】
【００１６】
【図１】図１は、本開示による外科手術用システムの斜視図である。
【００１７】
【図２】図２は、アダプタに連結された装填ユニットを備える、図１に示される外科手術用システムの遠位端部分の斜視図である。
【００１８】
【図３】図３は、図２の装填ユニットおよびアダプタの遠位端部分の近位端からの斜視分解図である。
【００１９】
【図４】図４は、図２の装填ユニットおよびアダプタの遠位端部分の分解図である。
【００２０】
【図５】図５は、図２の装填ユニットの近位端からの斜視図である。
【００２１】
【図６】図６は、図５の切断線６−６に沿って見た断面図である。
【００２２】
【図７】図７は、装填ユニットのロッキングバンドがロックされた構成にある、図２のアダプタの遠位端部分と整列した図２の装填ユニットの側面図である。
【００２３】
【図８】図８は、図７の切断線８−８に沿って見た断面図である。
【００２４】
【図９】図９は、ロッキングバンドがロック解除された構成にある、図７の装填ユニットに部分的に受容された図７のアダプタの遠位端部分の側面図である。
【００２５】
【図１０】図１０は、図９の切断線１０−１０に沿って見た断面図である。
【００２６】
【図１１】図１１は、図９の切断線１１−１１に沿って見た断面図である。
【００２７】
【図１２】図１２は、ロッキングバンドがロックされた構成にあり、そしてアンビルが取り外されている、図１の切断線１２−１２に沿って見た断面図である。
【００２８】
【図１３】図１３は、図１２の切断線１３−１３に沿って見た断面図である。
【００２９】
【図１４】図１４は、装填ユニットのロッキングバンドが解放された構成にある、図９に示されるアダプタの遠位端部分および装填ユニットの側面図である。
【００３０】
【図１５】図１５は、図１４の切断線１５−１５に沿って見た断面図である。
【００３１】
【図１６】図１６は、図１４の切断線１６−１６に沿って見た断面図である。
【００３２】
【図１７】図１７は、装填ユニットのロッキングバンドが解放された構成にある、図１４に示されるアダプタの遠位端部分および装填ユニットの断面図である。
【発明を実施するための形態】
【００３３】
実施形態の詳細な説明
本開示の実施形態が、ここで図面を参照しながら詳細に記載される。図面において、同じ参照番号は、数枚の図の各々において、同一の要素または対応する要素を表す。本明細書中で使用される場合、用語「臨床医」とは、医師、看護師、または他の治療提供者をいい、補助人員を含み得る。本明細書全体にわたって、用語「近位」とは、デバイスまたはその構成要素の、臨床医に最も近い部分をいい、そして用語「遠位」とは、デバイスまたはその構成要素の、臨床医から最も遠い部分をいう。
【００３４】
本開示は一般に、装填ユニットを、外科手術用器具の遠位端部分、または外科手術用器具のアダプタに取り外し可能に固定する、ロッキングバンドを有する装填ユニットに関する。このロッキングバンドは、このロッキングバンドの各端部に隣接する移動止めおよび保持フックを有し、これらは、この装填ユニットがこの外科手術用器具の遠位端部分に固定されたり取り外されたりするときに、このロッキングバンドがこの装填ユニットから外れることを防止する。
【００３５】
図１および図２は、本開示の１つの実施形態による、装填ユニット１０およびアダプタ１００を図示する。装填ユニット１０は、アダプタ１００を介しての、動力式の、手で持つ電気機械式器具２００への選択的な接続のために構成される。あるいは、装填ユニット１０は、手動で起動されるハンドルアセンブリまたはステープル留め器具（例えば、本明細書中に参考として援用される米国特許第８，７８９，７３７号（「’７３７特許」）に記載されるもの）への接続のために構成され得る。このような実施形態において、このステープル留め器具の細長本体部分は、図１に示されるようなアダプタ１００と類似の構成を有し得る。図示される実施形態において、装填ユニット１０は、アダプタ１００の遠位端部分１１０に取り外し可能に連結され、そしてステープルカートリッジ１２、シェルアセンブリ２０、および装填ユニット１０をアダプタ１００に取り外し可能に固定するための取付部材またはロッキングバンド４０を備える。装填ユニット１０はまた、アンビル９０を備え得る。アダプタ１００は、ステープル留め器具（例えば、電気機械式器具２００）の動きを変換して、シェルアセンブリ２０を起動させ、アンビル９０とステープルカートリッジ１２との近接を行うように、そして組織（図示せず）を縫合および切断するように、構成される。アダプタ１００の近位端１０２は、このステープル留め器具に取り付け可能であり、ステープルカートリッジ１２を起動させる。アダプタ１００の近位端１０２は、’７３７特許に記載されるような手動で起動される器具に取り付けられて、ステープルカートリッジ１２を起動させてもよいことが想定される。
【００３６】
例示的なアダプタおよび装填ユニットの構造および機能の詳細な説明については、共有に係る米国仮特許出願第６２／０６６，５１８号（２０１４年１０月２１日出願、発明の名称「Ａｄａｐｔｅｒ，  Ｅｘｔｅｎｓｉｏｎ，  ａｎｄ  Ｃｏｎｎｅｃｔｏｒ  Ａｓｓｅｍｂｌｉｅｓ  ｆｏｒ  Ｓｕｒｇｉｃａｌ  Ｄｅｖｉｃｅｓ」）を参照のこと。例示的な電気機械式器具の構造および機能の詳細な説明については、共有に係る米国特許出願第１３／４８４，９７５号（２０１２年５月３１日出願、現在、米国仮特許出願公開第２０１２／０２５３３２９号として公開されている）を参照のこと。これらの出願の各々は、その全体が本明細書中に参考として援用される。
【００３７】
図３および図４を参照すると、アダプタ１００の遠位端部分１１０または外科手術用器具は管状であり、そして突起用窓１１２（図４）、フック用窓１１４、およびキー溝１１６を規定する。突起用窓１１２は、遠位端部分１１０を通って延び、そして遠位端部分１１０の遠位端１１１から、リフトセクション１１３によって間隔を空けている。フック用窓１１４は、遠位端部分１１０の遠位端１１１から近位に、遠位端部分１１０の長手方向軸に対して平行な方向に延びる。遠位端部分１１０は、２つのフック用窓１１４を規定し、各々が、遠位端部分１１０の周囲で互いに逆方向に、突起用窓１１２から等しい距離で位置する。フック用窓１１４の各々は、遠位端部分１１０の周囲で、突起用窓１１２からおよそ９０°ずれ得、その結果、フック用窓１１４は、互いに直径方向に対向する。キー溝１１６は、フック用窓１１４の間に、遠位端部分１１０の突起用窓１１２の反対側に位置する。図示においては、キー溝１１６は、フック用窓１１４のうちの一方に隣接しており、そしてフック用窓１１４のうちの他方からは間隔を空けている。しかし、キー溝１１６はフック用窓１１４の間で等しく間隔を空けてもよく、その結果、キー溝１１６が突起用窓１１２と対向することが想定される。キー溝１１６は、遠位端部分１１０の遠位端１１１から近位に、遠位端部分１１０の長手方向軸に対して平行な方向に延びる。アダプタ１００は、アダプタ１００の遠位端部分１１０の近位端の周囲に位置する、近位ストップ１１８を備える。近位ストップ１１８は、遠位端部分１１０より大きい直径を有し、そしてシェルアセンブリ２０がアダプタ１００上に配置されるとき、シェルアセンブリ２０の近位端の周囲に位置する。
【００３８】
シェルアセンブリ２０は、近位部分２２を有し、この近位部分は、以下に詳述されるように、アダプタ１００の遠位端部分１１０を受容するための中心通路２１を規定する。近位部分２２は、環状凹部２４を規定する環状本体２３を備える。環状凹部２４は、環状本体２３の周のおよそ半分に延び、そして平坦部２６を、環状凹部２４の各端部に備える。平坦部２６は、互いに対して実質的に平行であり、そして環状本体２３上で、互いからおよそ１８０°離れて位置する。シェルアセンブリ２０はまた、保持リングまたは近位リング２７を備え、このリングは、環状本体２３の直径に等しいかまたはそれより大きい、一定の直径を有する。
【００３９】
環状本体２３は、キー３６を備え、そして突起用開口部３２、フック用開口部３４、およびタブ受部３８を規定する。突起用開口部３２は、環状本体２３を貫通し、そして環状凹部２４内で、平坦部２６の間のおよそ半分の位置に位置する。フック用開口部３４は、シェルアセンブリ２０の長手方向軸を横断する方向に、環状本体２３の平坦部２６を貫通する。各平坦部２６は、移動止め用溝または移動止め用ウェル３５を規定し、これは、フック用開口部３４から間隔を空けており、そして環状凹部２４から離れた位置にある。タブ受部３８は、シェルアセンブリ２０の近位部分２２に、環状凹部２４の遠位に、環状凹部と連絡するように規定される。タブ受部３８は、突起用開口部３２と整列し、そして環状凹部２４から遠位に、シェルアセンブリ２０の長手方向軸に対して平行な方向に延びる。キー３６は、環状本体２３の内側表面から、フック用開口部２４の間に延びる。近位部分２２はまた、係合凹部２８（図３）を、平坦部２６に隣接した、環状凹部２４から離れた位置に規定し得る。
【００４０】
ロッキングバンド４０は、本体４２を備え、この本体は、端部４４、突起５２、保持フック５４、移動止め５５、およびタブ５８を有する。本体４２は、弓形または半円筒形の形状であり、そしてシェルアセンブリ２０の環状本体２３の周囲の環状凹部２４に受容されるようなサイズである。突起５２は、端部４４の間のおよそ中間に位置し、そして本体４２の内側表面から延びる。突起５２は、角度の付いた近位表面５３ａおよび垂直な遠位ロッキング表面５３ｂを備え、その結果、突起５２は、実質的に楔の形状である。
【００４１】
本体４２の各端部４４は、直線状または平坦な内側表面４５を有し、この内側表面は、反対側の端部４４の平坦な内側表面４５に対して実質的に平行である。各保持フック５４は、本体４２の端部４４に隣接して位置し、そして平坦な内側表面４５から内向きに延びる。各保持フック５４は、支持部材１４２およびフック部材１４４を備える。支持部材１４２は、平坦な内側表面４５から垂直に、反対側の平坦な内側表面４５に向かって延びる。フック部材１４４は、平坦な内側表面４５に対して実質的に平行に、突起５２に向かって延びる。フック部材１４４は、他方の保持フック５４のフック部材１４４の平坦な外側表面１４６に対向する平坦な外側表面１４６、および端部４４の平坦な内側表面４５に対向する角度の付いた内側表面１４８を備える。フック部材１４４は、実質的に楔の形状であり、フック部材１４４の前端１４９は、フック部材１４４の後端１４５より小さい寸法を有する。各端部４４はまた、移動止め５５を備え、この移動止めは、平坦な内側表面４５から突出し、そして保持フック５４の支持部材１４２に隣接し、突起５２から離れて位置する。本体４２が環状凹部２４に受容されるとき、タブ５８は、本体４２から遠位に、シェルアセンブリ２０の長手方向軸に対して平行な方向に延びる。タブ５８は、突起５２と軸方向に整列し、そしてタブ受部３８に受容されるようなサイズにされて、ロッキングバンド４０をシェルアセンブリ２０と位置合わせまたは整列させる。
【００４２】
図５および図６をさらに参照すると、ロッキングバンド４０の本体４２は、シェルアセンブリ２０の環状本体２３の凹部２４に受容されて、以下により詳細に記載されるように、シェルアセンブリ２０をアダプタ１００の遠位端部分１１０に選択的に固定する（図１）。ロッキングバンド４０の本体４２が凹部２４に受容されるとき、タブ５８は、本体４２をシェルアセンブリ２０の近位部分２２と位置合わせまたは整列させ、その結果、突起５２は突起用開口部３２と整列し、そして各保持フック５４はそれぞれのフック用開口部３４と整列する。タブ５８は、本体４２と環状本体２３との適切な整列に関して、見える印を提供する。突起５２が突起用開口部３２に受容されているとき、ロッキングバンド４０は、シェルアセンブリ２０に対する回転を防止される。
【００４３】
図５および図６を続けて参照すると、保持フック５４は、フック用開口部３４内で脱係合した構成にある。この脱係合した位置において、保持フック５４の後端１４５は、それぞれのフック用開口部３４を規定する壁に隣接するか、またはこの壁と接触し、その結果、支持部材１４２は、それぞれのフック用開口部３４を規定する壁に隣接するか、またはこの壁と接触する。この脱係合した位置において、移動止め５５は、移動止め用ウェル３５に受容されて、本体４２のそれぞれの端部４４が環状本体２３に対して移動またはスライドすることを防止する。この脱係合した構成において、本体４２のそれぞれの端部４４は、端部４４を突起５２の方向にスライドさせるために、臨床医の指と係合し得る。この動きは、ロッキングバンド４０の本体４２を外向きに曲げて、それぞれの移動止め５５をその移動止め用ウェル３５から持ち上げ、そしてそれぞれの保持フック５４をそのフック用開口部３４から引き出す。
【００４４】
図５および図６に示されるように、ロッキングバンド４０をシェルアセンブリ２０の近位部分２２に選択的に連結するために、ロッキングバンド４０は、内側平坦部４５を近位部分２２の平坦部２６に置くことによって、近位部分２２と整列する。内側平坦部４５と環状本体２３の平坦部２６とが互いに接触しているとき、タブ５８とタブ用凹部３８との整列が目視確認されて、ロッキングバンド４０の本体４２が環状本体２３と適切に整列していることを確認する。本体４２が環状本体２３と適切に整列しているとき、本体４２に圧力が加えられ、その結果、本体４２の端部４４は、平坦部２６上をスライドし、そして移動止め５５は、それぞれの平坦部２６と係合して、本体４２を外向きに曲げる。端部４４が平坦部２６上をスライドすると、保持フック５４は平坦部２６と係合して、保持フック５４がフック用開口部３４と整列するまで、本体４２の端部４４を外向きに曲げる。保持フック５４がフック用開口部３４と整列すると、本体４２の弾力は、端部４４を内向きにスナップさせるかまたは曲げ、その結果、保持フック５４はフック用開口部３４を通過し、そして移動止め５５は、フック用開口部３４を越えた平坦部２６と再度係合する。本体４２に対するさらなる圧力は、図６に示されるように移動止め５５が移動止め用ウェル３５に受容されるまで、移動止め５５を平坦部２６に沿ってスライドさせる。移動止め５５が移動止め用ウェル３５に受容されるとき、移動止め５５は、聞こえる印（例えば、「クリック音」）を提供して、臨床医に、ロッキングバンド４０がシェルアセンブリ２０の環状本体２３に固定されたことを示し得る。移動止め５５が移動止め用ウェル３５に受容され、そして突起５２が突起用開口部３２を通過して中心通路２１に入ったとき、ロッキングバンド４０はロックされた構成にある。
【００４５】
図７〜図１３を参照すると、ロッキングバンド４０は、以下に詳細に記載されるように、シェルアセンブリ２０をアダプタ１００の遠位端部分１１０または外科手術用器具に選択的に固定するために使用される。最初に図７および図８を参照すると、シェルアセンブリ２０をアダプタ１００に固定するために、シェルアセンブリ２０の長手方向軸は、ロッキングバンド４０がシェルアセンブリ２０に連結された状態で、アダプタ１００の遠位端部分１１０の長手方向軸と整列させられる。シェルアセンブリ２０は、環状本体２３のキー３６が遠位端部分１１０のキー溝１１６と整列するように、アダプタ１００の遠位端部分１１０と位置合わせまたは回転方向に整列させられる。シェルアセンブリ２０がアダプタ１００の遠位端部分１１０と回転方向に整列しているとき、遠位端部分１１０の突起用窓１１２は、シェルアセンブリ２０の突起用開口部５２と回転方向に整列し、そして遠位端部分１１０のフック用窓１１４は、シェルアセンブリ２０のフック用開口部３４と回転方向に整列する。
【００４６】
図９〜図１１を参照すると、シェルアセンブリ２０とアダプタ１００の遠位端部分１１０とが互いに長手軸方向および回転方向に整列しているとき、シェルアセンブリ２０の環状本体２３は、遠位端部分１１０上をスライドする。遠位端部分１１０が環状本体２３の中心通路２１に受容されるとき、キー３６は、遠位端部分１１０のキー溝１１６に受容されて、シェルアセンブリ２０をアダプタ１００の遠位端部分１１０に対して回転方向に固定する。シェルアセンブリ２０の環状本体２３がアダプタ１００の遠位端部分１１０上をスライドするとき、リフトセクション１１３（これは、遠位端部分１１０の遠位端１１１と突起用窓１１２との間に位置する）は、ロッキングバンド４０の突起５２と係合して、ロッキングバンド４０をロックされた構成からロック解除された構成に移行させる。具体的には、リフトセクション１１３は、突起５２の角度の付いた近位表面５３ａと係合して、本体４２を外向きに曲げ、図１０および図１１に示されるように突起５２が中心通路２１の外側に位置するようになるまで、突起５２を外向きに動かす。
【００４７】
図１１を特に参照すると、このロック解除された構成において、ロッキングバンド４０の移動止め５５は、環状本体２３の移動止め用ウェル３５の内部に配置されたままであり、突起５２は、中心通路２１の外側に位置する。図示されるように、ロッキングバンド４０の本体４２は、突起５２が中心通路２１の内部から移動するにつれて、ロッキングバンド４０の端部４４の間で外向きに曲がる。保持フック５４はまた、フック用開口部３４を規定する壁と係合して、ロッキングバンド４０がシェルアセンブリ２０の環状本体２３から接続解除されるかまたは外れることを防止し得る。具体的には、フック部材１４４は、フック用開口部３４を規定する壁を突起５２に向けて捕捉して、移動止め５５のうちの一方または両方がそれぞれの移動止め用ウェル３５内から解放される場合でさえも、ロッキングバンド４０を環状本体２３に固定し得る。
【００４８】
図１２および図１３を参照すると、アダプタ１００の遠位端部分１１０を、環状本体２３の中心通路２１にさらに挿入すると、リフトセクション１１３がスライドして突起５２の垂直表面５３ｂを通過し、その結果、突起用窓１１２が移動して、突起用開口部３２と整列する。これが起こるとき、ロッキングバンド４０の本体４２の弾力が突起５２をスナップまたは推進して、アダプタ１００の遠位端部分１１０の突起用窓１１２に入れ、その結果、ロッキングバンド４０は、そのロックされた構成に戻る。突起５２が突起用窓１１２内に位置するとき、突起５２の垂直表面５３ｂ（図８）は、リフトセクション１１３と係合して、アダプタ１００の遠位端部分１１０をシェルアセンブリ２０の近位端２２内に固定する（すなわち、垂直表面５３ｂは、アダプタ１００の遠位端部分１１０がシェルアセンブリ２０の近位端２２の中心通路２１から引き出されることを防止する）。キー３６は、キー溝１１６の端部に当接して、アダプタ１００の遠位端部分１１０がシェルアセンブリ２０内に過剰に延びることを防止し得る。さらに、または代替的に、保持フック５４は、フック用窓１１４を規定する近位壁と係合して、遠位端部分１１０がシェルアセンブリ２０内に過剰に延びることを防止し得る。図１３を特に参照すると、突起５２が突起用窓１１２内に位置してシェルアセンブリ２０をアダプタ１００に固定しているとき、移動止め５５は移動止め用ウェル３５に受容され、そして保持フック５４はフック用窓１１４内に位置する。
【００４９】
シェルアセンブリ２０が外科手術用器具（例えば、アダプタ１００）に連結されているとき、この外科手術用器具およびシェルアセンブリ２０は、外科手術手順を実施するために使用され得る。外科手術手順が完了した後に、シェルアセンブリ２０は、以下で詳細に議論されるように、外科手術用器具から連結解除され得るか、または外され得る。シェルアセンブリ２０が外科手術用器具から連結解除されると、別のシェルアセンブリがこの外科手術用器具に連結されて、この外科手術手順における別のステープル留め操作を行い得る。あるいは、この外科手術用器具は、別の外科手術手順における使用のために滅菌され得るか、またはこの外科手術用器具は、処分され得る。さらに、使用済みシェルアセンブリ２０は、別の外科手術手順における使用のために滅菌され得るか、または処分され得る。
【００５０】
図１４〜図１７を参照すると、ロッキングバンド４０は、シェルアセンブリ２０をアダプタ１００の遠位端部分１１０から連結解除または取り外すために操作され、その結果、シェルアセンブリ２０は、アダプタ１００の遠位端部分１１０から取り外し可能である。シェルアセンブリ２０を取り外すために、ロッキングバンド４０の端部４４は、図１４の矢印Ｆにより示されるように、突起５２に向かう方向に移動またはスライドされて、ロッキングバンド４０を解放された構成に移行させる。平坦部２６は、端部４４が臨床医の指によって係合可能であるように、ロッキングバンド４０の端部４４へのアクセスを提供する。図１６に示されるように、ロッキングバンド４０の端部４４が突起５２に向けて移動するとき、移動止め５５は、移動して移動止め用ウェル３５から出る。移動止め５５が移動止め用ウェル３５から持ち上げられると、保持フック５４は、シェルアセンブリ２０の環状本体２３の一部分を引っ掛けるかまたは係合して、ロッキングバンド４０がシェルアセンブリ２０から分離することを防止する。具体的には、保持フック５４のフック部材１４４は、環状本体２３の、フック用開口部３４と突起用開口部３２との間の部分と係合する。フック部材１４４の前端１４９は、遠位端部分１１０のフック用窓１１４を規定する壁と係合し得、そして環状本体２３は、支持部材１４２と係合して、ロッキングバンド４０の端部４４が突起用開口部３２に向かう方向に過剰に動くことを防止し得る。端部４４が突起５２に向かう方向に動くと、ロッキングバンド４０の本体４２が曲がって、突起５２を外向きに動かし、その結果、突起５２は、アダプタ１００の突起用窓１１２の外側に移動し、そして環状本体２３の突起用開口部３２の外側に移動し得る。
【００５１】
図１７を参照すると、ロッキングバンド４０は、ロッキングバンド４０の１つの端部４４と係合することによって、シェルアセンブリ２０をアダプタ１００の遠位端部分１１０から取り外すために操作され得る。図１７に示されるように、ロッキングバンド４０の第一の端部４４ａが突起５２に向かう方向に動くとき、第一の端部４４ａに隣接する第一の移動止め５５ａは、第一の移動止め用ウェル３５ａから脱係合し、そして第二の端部４４ｂに隣接する第二の移動止め５５ｂは、第二の移動止め用ウェル３５ｂと係合したままになる。これが起こると、ロッキングバンド４０の本体４２が曲がり、その結果、突起５２がアダプタ１００の突起用窓１１２の外側に移動し、その結果、アダプタ１００は、シェルアセンブリ２０から分離可能になる。第一の端部４４ａに隣接する第一の保持フック５４ａは、環状本体２３および／または遠位端部分１１０と係合して、上に詳述したのと類似の様式で、第一の端部４４ａが突起５２に向かう方向に過剰に動くことを防止する。第二の端部４４ｂに隣接する第二の保持フック５４ｂおよび第二の移動止め５５ｂは、環状本体２３の特徴と係合して、第一の端部４４ａが突起５２に向かう方向に動くとき、第二の端部４４ｂの動きに抵抗するかまたはこの動きを防止する。具体的には、第二の保持フック５４ｂの支持部材１１４ｂは、環状本体２３のフック用開口部３４を規定する壁と係合し、そして第二の移動止め５５ｂは、移動止め用ウェル３５ｂと係合して、本体４２の第二の端部４４ｂの、突起５２から離れる方向への動きに抵抗するか、またはこの動きを防止する。
【００５２】
本開示の数個の実施形態が図面に示されたが、本開示はこれらに限定されることを意図されない。なぜなら、本開示は当該分野が許容すると同程度に範囲が広いこと、および本明細書も同様に読まれることが意図されるからである。上記実施形態の任意の組み合わせもまた想定され、そして添付の特許請求の範囲の範囲内である。本開示は、円形ステープル留め装填ユニットに限定されるものではなく、直線状ステープル留め器具または他の型の器具（例えば、電気焼灼器具もしくは超音波器具）のための装填ユニットへの用途も有する。従って、上記説明は、限定であると解釈されるべきではなく、単に、特定の実施形態の例示であると解釈されるべきである。当業者は、添付の特許請求の範囲の範囲内で、他の改変を予測する。
【図１】
0006758975.tif 000002
【図２】
0006758975.tif 000003
【図３】
0006758975.tif 000004
【図４】
0006758975.tif 000005
【図５】
0006758975.tif 000006
【図６】
0006758975.tif 000007
【図７】
0006758975.tif 000008
【図８】
0006758975.tif 000009
【図９】
0006758975.tif 000010
【図１０】
0006758975.tif 000011
【図１１】
0006758975.tif 000012
【図１２】
0006758975.tif 000013
【図１３】
0006758975.tif 000014
【図１４】
0006758975.tif 000015
【図１５】
0006758975.tif 000016
【図１６】
0006758975.tif 000017
【図１７】
0006758975.tif 000018